(57)【要約】【課題】底面落下に対しての衝撃吸収性に優れ、しかも簡単に組立てることができるダンボールクッションを提供すること。【解決手段】箱１２の底部に装入されるダンボールクッション１０は、ほぼ長方形の載置壁部２０と、長方形の短辺にそれぞれ位置する２つの第１側壁部６４と、長方形の長辺にそれぞれ位置する２つの第２側壁部６６とを備え、２つの第１側壁部６４は、２つの第２側壁部６６の両端に挟まれている。２つの第２側壁部６６の下端は、載置壁部２０よりも下方に延在して箱１２の底面１２０２に当接する共に箱１２の側面１２０６にも当接し、載置壁部２０上に載置された商品に対して下方への衝撃力が作用した際に、載置壁部２０はその中央部が下方に変位するように撓み、２つの第２側壁部６６は、それらの上端が近づく方向に倒れることで前記衝撃力を吸収する。【選択図】        図１４
2004224366.tif 000002
【特許請求の範囲】
【請求項１】
平面視矩形の箱の底部に装入される１枚のダンボールからなるダンボールクッションであって、
商品が載置される平面視ほぼ長方形の載置壁部と、前記長方形の短辺にそれぞれ位置する２つの第１側壁部と、前記長方形の長辺にそれぞれ位置する２つの第２側壁部とを備え、
前記２つの第１側壁部は、前記２つの第２側壁部の両端に挟まれるように配置され、
前記載置壁部上で前記２つの第１側壁部と２つの第２側壁部との間に商品収容スペースが形成され、
前記２つの第２側壁部の下端は、前記箱の底面と前記載置壁部との間に空間を確保するように前記載置壁部よりも下方に延在して前記箱の底面に当接するように形成されると共に、前記下端は前記箱の側面にも当接するように形成され、
前記載置壁部上に載置された商品に対して下方への衝撃力が作用した際に、前記載置壁部は、前記短辺方向の両端よりも中央が下方に変位するように撓み、かつ、この載置壁部の撓みにより前記２つの第２側壁部は、前記２つの第１側壁部の間の部分がそれらの上端が前記短辺方向の中央に近づく方向に倒れることで前記衝撃力を吸収するように構成されている、ことを特徴とするダンボールクッション。
【請求項２】
前記各第２外面壁は、前記載置壁部に臨む第２内面壁と、前記２つの第１側壁部の間の第２内面壁部分の上端から折り返されて該第２内面壁に沿って延在する中央外面壁とを有し、前記載置壁部上に載置された商品に対して下方への衝撃力が作用した際に、前記載置壁部の撓みにより倒れる前記第２側壁部部分は、前記２つの第１側壁部の間の第２内面壁部分と前記中央外面壁であることを特徴とする請求項１記載のダンボールクッション。
【請求項３】
前記中央外面壁の上端寄り箇所には、前記衝撃力が作用した際に該外中央外面壁の上端寄り箇所が折り曲げられ易いように前記長辺に平行して延在する直線状折り曲げ部が形成されていることを特徴とする請求項２記載のダンボールクッション。
【請求項４】
前記中央外面壁は、前記第２内面壁の上端と該中央外面壁の上端との間に隙間が確保されるように前記第２内面壁の上端から折り返され、前記中央外面壁の上端寄り箇所には、前記衝撃力が作用した際に該外中央外面壁の上端寄り箇所が折り曲げられ易いように前記長辺に平行して延在する直線状折り曲げ部が形成されていることを特徴とする請求項２記載のダンボールクッション。
【請求項５】
前記載置壁部の前記両側の長辺に沿った箇所にはそれぞれ切り欠きが設けられ、この切り欠きの内側に位置する前記ダンボール部分は前記第２内面壁に連接され該第２内面壁と同一面上で前記載置壁部寄りも下方に延在する脚壁部を構成し、この脚壁部の下端は、前記箱の底面に当接していることを特徴とする請求項２記載のダンボールクッション。
【請求項６】
前記各第２側壁部は、前記載置壁部に臨む第２内面壁と、前記第２内面壁の上端から該第２内面壁の外側で下方に延在する第２外面壁と、前記第２内面壁または前記第２外面壁に設けられ前記長辺から離れる方向に延在し前記箱の側面と前記第２内面壁との間に空間を確保する延在壁とを有し、前記第２外面壁は、前記長辺の両端に臨んだ箇所で上下に延在する２つの端部外面壁と、前記２つの端部外面壁の間でそれら２つの端部外面壁から切り離され前記第２内面壁の上端から折り返されて前記第２内面壁に沿って延在する中央外面壁とで構成され、前記載置壁部上に載置された商品に対して下方への衝撃力が作用した際に、前記載置壁部の撓みにより倒れる前記第２側壁部部分は、前記２つの第１側壁部の間の第２内面壁部分と中央外面壁であることを特徴とする請求項１記載のダンボールクッション。
【請求項７】
前記中央外面壁の上端寄り箇所には、前記衝撃力が作用した際に該外中央外面壁の上端寄り箇所が折り曲げられ易いように前記長辺に平行して延在する直線状折り曲げ部が形成されていることを特徴とする請求項６記載のダンボールクッション。
【請求項８】
前記第２内面壁の上端と前記中央外面壁の上端との間に隙間が確保されるように前記中央外面壁は前記第２内面壁の上端から折り返され、前記中央外面壁の上端寄り箇所には、前記衝撃力が作用した際に該外中央外面壁の上端寄り箇所が折り曲げられ易いように前記長辺に平行して延在する直線状折り曲げ部が形成されていることを特徴とする請求項６記載のダンボールクッション。
【請求項９】
前記延在壁は、前記長辺方向に沿った第２内面壁の両側の上端に設けられた上側延在壁と、前記中央外面壁の下端に設けられた下側延在壁とで構成され、前記端部外面壁は前記上側延在壁から下方に延在し、前記２つの端部外面壁の下端と中央外面壁の下端とは前記下側延在壁により連結されていることを特徴とする請求項６記載のダンボールクッション。
【請求項１０】
前記延在壁は、前記長辺方向に沿った第２内面壁の両側の上端に設けられた上側延在壁と、前記中央外面壁の下端に設けられた下側延在壁とで構成され、前記端部外面壁は前記上側延在壁から下方に延在し、前記２つの端部外面壁の下端には、これら２つの端部外面壁の下端にわたって延在しこれら２つの端部外面壁の外側に折り返される折り返し壁が設けられ、前記折り返し壁に前記下側延在壁が連結されていることを特徴とする請求項６記載のダンボールクッション。
【請求項１１】
前記各第１側壁部は、前記載置壁部に臨む第１内面壁を有し、前記各第２側壁部は、前記載置壁部に臨む第２内面壁を有し、前記商品収容スペースは載置壁部上で前記２つの第１内面壁と２つの第２内面壁との間に形成され、前記第１側壁部の前記短辺から離れた端部または前記第２側壁部の前記長辺に沿った端部が前記箱の側面に当接して箱の側面と前記第１内面壁との間に空間を確保するように形成されていることを特徴とする請求項１記載のダンボールクッション。
【請求項１２】
前記各第１側壁部は、前記載置壁部に臨む第１内面壁を有し、前記各第２側壁部は、前記載置壁部に臨む第２内面壁を有し、前記商品収容スペースは載置壁部上で前記２つの第１内面壁と２つの第２内面壁との間に形成され、前記各第２側壁部には、前記長辺から離れる方向に延在し前記箱の側面に当接して前記箱の側面と前記第２内面壁との間に空間を確保する延在壁が設けられ、この延在壁が第２側壁部の下端に設けられていることを特徴とする請求項１記載のダンボールクッション。
【発明の詳細な説明】
【０００１】
【発明の属する技術分野】
本発明は、箱の底部に装入される１枚のダンボールからなるダンボールクッションに関する。
【０００２】
【従来の技術】
従来、電気製品や精密機器、割れ物などの商品の梱包には、落下などの衝撃から商品を保護するため、発泡スチロールやウレタンホームなどのような発泡性緩衝材が用いられていたが、このような発泡性緩衝材は、再生、廃棄、焼却処分する上で不都合があり、環境保護の点で問題がある。
そこで、近年、リサイクルが容易なダンボールからなるダンボールクッションが提供されつつある（例えば、特許文献１参照）。
【０００３】
【特許文献１】
特開平２０００−２５５５５９号公報（図２）
【０００４】
【発明が解決しようとする課題】
しかしながら、従来のこの種のダンボールクッションは何れも上下方向に対しては剛の形状を呈しているため、特に、下方に落下する底面落下に対しての衝撃吸収性に劣り、何らかの改善が望まれていた。
本発明は前記事情に鑑み案出されたものであって、本発明の目的は、底面落下に対しての衝撃吸収性に優れ、しかも簡単に組立てることができるダンボールクッションを提供することにある。
【０００５】
【課題を解決するための手段】
本発明は、前記目的を達成するため、平面視矩形の箱の底部に装入される１枚のダンボールからなるダンボールクッションであって、商品が載置される平面視ほぼ長方形の載置壁部と、前記長方形の短辺にそれぞれ位置する２つの第１側壁部と、前記長方形の長辺にそれぞれ位置する２つの第２側壁部とを備え、前記２つの第１側壁部は、前記２つの第２側壁部の両端に挟まれるように配置され、前記載置壁部上で前記２つの第１側壁部と２つの第２側壁部との間に商品収容スペースが形成され、前記２つの第２側壁部の下端は、前記箱の底面と前記載置壁部との間に空間を確保するように前記載置壁部よりも下方に延在して前記箱の底面に当接するように形成されると共に、前記下端は前記箱の側面にも当接するように形成され、前記載置壁部上に載置された商品に対して下方への衝撃力が作用した際に、前記載置壁部は、前記短辺方向の両端よりも中央が下方に変位するように撓み、かつ、この載置壁部の撓みにより前記２つの第２側壁部は、前記２つの第１側壁部の間の部分がそれらの上端が前記短辺方向の中央に近づく方向に倒れることで前記衝撃力を吸収するように構成されていることを特徴とする。
このような本発明のダンボールクッションによれば、載置壁部が撓み、第２側壁部が倒れることで底面落下の際の衝撃が吸収される。
【０００６】
【発明の実施の形態】
以下、本発明の実施の形態を図面に基づいて詳細に説明する。
実施の形態に係るダンボールクッション１０は、図１５に斜視図で示すように、平面視矩形の箱１２の底部に装入されるものであり、図１に展開図で示す１枚のダンボール１４から形成されている。
まず、このダンボール１４の構成から説明する。
なお、本発明において折れ線（直線状折り曲げ部）とは、ダンボール１４が折れ易いようにダンボールに加工を施した箇所であり、例えば、ダンボール１４の表面から直線状にダンボール１４をつぶして形成される直線状の薄肉部分などで構成されている。
【０００７】
図１に示すように、１枚のダンボール１４の中央部には、平面視ほぼ長方形の載置壁部２０が位置している。
前記載置壁部２０がなす長方形の両短辺には、それぞれ折れ線Ｂ１を介して矩形状の第１内面壁２２，２４が連接されている。
前記載置壁部２０がなす長方形の両長辺には、それぞれ折れ線Ｂ２を介してほぼ矩形状の第２内面壁２６が連接されている。
本実施の形態では、前記折れ線Ｂ２は前記長辺の両側部分のみに形成され、前記長辺の中間部分の両側からスリットＳ１が台形の上半部の輪郭をなすように載置壁部２０に延在している。そしてスリットＳ１内のダンボール部分は、前記第２内面壁２６と連続する脚壁部２８を構成している。
なお、図１において折れ線の交叉部分に描かれた小円は、ダンボール１４に打ち抜かれた孔を示している。
【０００８】
前記第１内面壁２２，２４の前記折れ線Ｂ１と反対側の辺には、それぞれ折れ線Ｂ３，Ｂ４を介して上面壁３０，３２が連接されている。
また、一方の第１内面壁２２とこれに連接された上面壁３０とにわたり、折れ線Ｂ３と直交してスリットＳ２が延在形成されている。
また、一方の第１内面壁２２の両側には、それぞれ折れ線Ｂ１１を介して側面壁３４が連接され、この側面壁３４は折れ線Ｂ１２を介して第２内面壁２６の隅部に連接されている。
さらに、前記第１内面壁２２に連接する上面壁３０の両側には、それぞれ折れ線Ｂ１３を介して側面壁３６が連接され、この側面壁３６は折れ線Ｂ１４を介して前記側面壁３４に連接されている。
なお、一方の側面壁３４，３６の端部間に窓３７が形成され、窓３７の両側と前記スリットＳ２の両側にわたりそれぞれ折れ線Ｂ３０１が形成されている。
【０００９】
また、他方の第１内面壁２４の両側には、それぞれ折れ線Ｂ１５を介して側面壁３８が連接され、この側面壁３８は折れ線Ｂ１６を介して第２内面壁２６の隅部に連接されている。
さらに、前記第１内面壁２４に連接する上面壁３２の両側には、それぞれ折れ線Ｂ１７を介して側面壁４０が連接され、この側面壁４０は折れ線Ｂ１８を介して前記側面壁３８に連接されている。
【００１０】
前記各第２内面壁２６の前記折れ線Ｂ２と反対側の辺の中央には、平行する２本の折れ線Ｂ２００２を介して中央外面壁５２が連接され、また、前記折れ線Ｂ２と反対側の辺の両側にはそれぞれ折れ線Ｂ２０を介して上側延在壁５０が連接されている。
前記各上側延在壁５０の前記折れ線Ｂ２０と反対側の辺には折れ線Ｂ２１を介して端部外面壁５４が連接されている。
前記中央外面壁５２の前記折れ線Ｂ２００２と反対側の辺には折れ線Ｂ２２を介して下側延在壁５６が連接されている。
そして、両側の端部外面壁５４の先端と下側延在壁５６の先端とにわたり折れ線Ｂ２３を介して折り返し壁５８が連接されている。
なお、中央外面壁５２および下側延在壁５６の両側に沿って前記折れ線Ｂ２０、Ｂ２３間にスリットＳ３が延在しており、このスリットＳ３により中央外面壁５２および下側延在壁５６は両側の上側延在壁５０と端部外面壁５４から切り離されている。
また、中央外面壁５２の折れ線Ｂ２００２寄りの箇所には、折れ線Ｂ２００２に平行して延在する折れ線Ｂ２５が設けらている。
【００１１】
次に、ダンボールクッション１０の組み立てについて説明する。
図２に示すように、折れ線Ｂ１、Ｂ２部分を谷折りすると共に、折れ線Ｂ１２、Ｂ１６部分を谷折りし、折れ線Ｂ１１、Ｂ１５部分を山折りして載置壁部２０の短辺と長辺からそれぞれ第１内面壁２２，２４と第２内面壁２６を起立させる。
また、折れ線Ｂ３、Ｂ４部分を山折りすると共に、折れ線Ｂ１３、Ｂ１７部分を谷折りし、折れ線Ｂ１４、Ｂ１８部分を山折りし、上面壁３０，３２を第１内面壁２２，２４から外側に折り曲げ、側面壁３４、３８を第２内面壁２６に合わされるように折り曲げ、側面壁３６、４０を上面壁３０、３２の両側から起立するように折り曲げる。
【００１２】
そして、図３に示すように、第１内面壁２２，２４と第２内面壁２６を載置壁部２０からほぼ直角に起立させ、上面壁３０，３２を第１内面壁２２，２４からほぼ直角に折り曲げ、側面壁３６、４０を上面壁３０、３２からほぼ直角に起立させる。
この状態で、前記側面壁３４、３８は第２内面壁２６の両端に重ね合わされる。
また、前記スリットＳ２と窓３７との間に位置する第１内面壁２２部分と上面壁３０部分がそれぞれ折れ線Ｂ３０１部分で山折りされ、これら折れ線Ｂ３０１の間の折れ線Ｂ３部分が谷折りされて段部６０が形成される。
なお、第２内面壁２６を載置壁部２０からほぼ直角に起立させることで、載置壁部２０の長辺の両側には、スリットＳ１により形成された切り欠き２８Ａが形成される。
【００１３】
次に、図４に示すように、折れ線Ｂ２０、Ｂ２００２、Ｂ２００２部分をそれぞれ山折りし、各第２内面壁２６の上端から上側延在壁５０、中央外面壁５２、端部外面壁５４を外側に折り曲げる。
次に、図５に示すように、折れ線Ｂ２１部分を山折りし、上側延在壁５０から端部外面壁５４を下方に折り曲げ、また、折れ線Ｂ２２部分を谷折りし、中央外面壁５２の下端から下側延在壁５６を折り曲げる。
【００１４】
次に、図６に示すように、各第２内面壁２６の上端から上側延在壁５０をほぼ直角に折り曲げると共に、上側延在壁５０の外端から端部外面壁５４を下方に向けてほぼ直角に折り曲げる。
また、各第２内面壁２６の上端から２本の折れ線Ｂ２００２を介して中央外面壁５２をほぼ３６０度折り曲げて各第２内面壁２６の外面に沿って中央外面壁５２を延在させ、中央外面壁５２の下端から下側延在壁５６を外方に向けてほぼ直角に折り曲げる。なお、図１４に示すように、第２内面壁２６の上端と中央外面壁５２の上端との間には、２本の折れ線Ｂ２００２部分がそれぞれ山折りされることから約ダンボール１枚分の隙間が確保され、中央外面壁５２は下端に至るにつれて次第に第２内面壁２６および脚壁部２８に近づくことになる。
そして、最後に、折れ線Ｂ２３を谷折りし、両側の端部外面壁５４の下端および下側延在壁５６の外端から折り返し壁５８を上方に折り曲げ、両側の端部外面壁５４の下端の外面に重ね合わせ、図７に示すダンボールクッション１０が得られる。
【００１５】
図８乃至図１４は、前記ダンボールクッション１０が図１５に示す平面視矩形の箱１２の底部に装入された状態の説明図で、図８は平面図、図９は正面図、図１０は一方の第１内面壁２２から見た側面図、図１１は他方の第１内面壁２４から見た側面図、図１２は底面図、図１３は断面正面図、図１４は断面側面図を示す。なお、これらの図において、符号１２０２は箱１２の底面、符号１２０４は箱１２の短辺から起立する側面、符号１２０６は箱１２の長辺から起立する側面を示している。
図８に示すように、ダンボールクッション１０は、商品が載置される平面視ほぼ長方形の載置壁部２０と、前記長方形の短辺にそれぞれ位置する２つの第１側壁部６４と、前記長方形の長辺にそれぞれ位置する２つの第２側壁部６６とを備え、載置壁部２０上で２つの第１側壁部６４と２つの第２側壁部６６との間に商品収容スペース６２が形成されている。
前記２つの第１側壁部６４のうちの一方の第１側壁部６４は、載置壁部２０から起立する第１内面壁２２と、この第１内面壁２２の上端から前記短辺と離れる方向に延在する上面壁３０と、互いに折り畳まれた側面壁３４，３６とで構成されている。
また、２つの第１側壁部６４のうちの他方の第１側壁部６４は、載置壁部２０から起立する第１内面壁２４と、この第１内面壁２４の上端から前記短辺と離れる方向に延在する上面壁３２と、互いに折り畳まれた側面壁３８，４０とで構成されている。
これら２つの第１側壁部６４は、前記長方形の長辺の両側において２つの第２側壁部６６により挟まれている。
【００１６】
前記第２側壁部６６は、載置壁部２０に臨む第２内面壁２６と、前記第２内面壁２６の下端に連接された脚壁部２８と、前記第２内面壁２６の上端から該第２内面壁２６の外側で下方に延在する第２外面壁６８と、上側延在壁５０と、下側延在壁５６と、折り返し壁５８とで構成されている。
また、前記第２外面壁６８は、中央外面壁５２と、その両側の端部外面壁５４とで構成されている。
より詳細には、前記脚壁部２８は前記第２内面壁２６と同一面上で載置壁部２０よりも下方に延在している。
前記上側延在壁５０は、前記第２内面壁２６の上端の両側から、前記長辺から離れる方向に延在しており、前記端部外面壁５４はこれら上側延在壁５０の端部からそれぞれ下方に延在している。
前記中央外面壁５２は、両側の端部外面壁５４の間の第２内面壁２６の上端部分、すなわち、２つの第１側壁部６４の間の第２内面壁２６の上端部分から２本の折れ線Ｂ２００２、Ｂ２００２を介して第２内面壁２６に沿って下方に延在している。
前記下側延在壁５６は、前記中央外面壁５２の下端から、前記長辺から離れる方向に延在しており、前記折り返し壁５８が下側延在壁５６の端部から上方に起立し、また、前記端部外面壁５４の下端から上方に折り返されている。
そして、前記第２側壁部６６の下端は、すなわち、脚壁部２８の下端、中央外面壁５２の下端、端部外面壁５４の下端、下側延在壁５６、折り返し壁５８の下端は箱１２の底面１２に当接している。
また、前記第２側壁部６６の下端は、すなわち、折り返し壁５８は箱１２の側面１２０６に当接している。
本実施の形態では、前記商品収容スペース６２は、載置壁部２０上で２つの第１内面壁２２，２４と２つの第２内面壁２６との間に形成されている。
【００１７】
次に、図１５乃至図１８を参照してダンボールクッションの使用方法について説明する。
まず、図１５に示すように、箱１２の底部にダンボールクッション１０を装入する。そして、例えば、ビデオカメラなどのような商品７０を保護シートで覆い、ダンボールクッション１０の商品収容スペース６２に収容する。
次に、箱１２の蓋体１２１０を箱１２の内部に折りこみ、図１６に示すように、商品７０が収容された商品収容スペース６２の上部を蓋体１２１０により閉塞する。
次に、箱１２の内部で蓋体１２１０の上に区画された空間に、バッテリ７００２、リモコン操作部７００４、ショルダーベルト７００６、メモリスティック７００８などの付属品を収容する。
次に、図１７に示すように、箱１２の蓋体１２１４，１２１６を箱１２の内部に折りこみ、これら収納された付属品を蓋体１２１４，１２１６で覆うことで収納する。
次に、箱１２の内部で蓋体１２１４，１２１６上に区画された空間に、種々のケーブル７００８やＣＤ―ＲＯＭ７０１０などを収容し、図１８に示すように、蓋体１２１２を閉じ、係止爪１２１８を蓋体１２１２の先部のスリットに挿入することで梱包が終了する。
【００１８】
つぎに、ダンボールクッション１０の作用、効果について説明する。
図９乃至図１１、図１３、図１４に示すように、脚壁部２８の下端、中央外面壁５２の下端、端部外面壁５４の下端、下側延在壁５６、折り返し壁５８の下端が箱１２の底面１２０２に当接し、載置壁部２０と箱１２の底面１２０２との間に空間が確保されている。
また、図８、図９、図１３に示すように、一方の第１内面壁２２と箱１２の側面１２０４との間には、第２内面壁２６、上面壁３０，側面壁３４，側面壁３６、上側延在壁５０、端部外面壁５４の端部が箱１２の側面１２０４に当接することで空間が確保されている。
また、他方の第１内面壁２４と箱１２の側面１２０４との間には、第２内面壁２６、上側延在壁５０、端部外面壁５４の端部が箱１２の側面１２０４に当接することで空間が確保されている。
【００１９】
図１０、図１１、図１４に示すように、第２内面壁２６と箱１２の側面１２０４との間には、第２内面壁２６の上下から箱１２の側面１２０６に向かって上側延在壁５０および下側延在壁５６が延在し折り返し壁５８が箱１２の側面１２０６に合わされることで空間が確保されている。なお、図１０、図１１、図１４では、端部外面壁５４が箱１２の側面１２０４に平行して描かれているが、実際にはダンボールの弾性などにより端部外面壁５４は外側に倒れ、上側延在壁５０の外端や端部外面壁５４の上部も箱１２の側面１２０６に当接している。
したがって、商品収容スペース６２は、箱１２の底面１２０２および側面１２０４，１２０６との間に空間を確保した状態で形成されているので、この商品収容スペース６２に電気製品や精密機器、割れ物などの商品を収容すれば、外力や衝撃などから商品を保護する上で有利となる。
さらに、ダンボールクッション１０は、１枚のダンボール１４から簡単に作れるので、コストダウンを図る上でも有利であり、また、リサイクルできることから環境保護の点でも有利である。
【００２０】
つぎに、底面落下（底方落下）時における衝撃吸収について図１９乃至図２１を参照して説明する。
図１９（Ａ）に示すように、箱１２の底部に装入されたダンボールクッション１０の商品収容スペース６２に、例えば、ビデオカメラなどのような商品７０が収容されており、この状態で箱１２が落下したとする。
図１９（Ｂ）、図２０（Ａ）に示すように、箱１２が下方の床面に衝突した際、脚壁部２８の下端および中央外面壁５２の下端が箱１２の底面１２０２に接触しているので、商品７０が載置された載置壁部２０には商品７０の重量が作用し、載置壁部２０は商品７０を包み込むように、すなわち、載置壁部２０は、その短辺方向の中央が両側よりも下方に変位するように撓む。
【００２１】
そして、  図２０（Ａ）、（Ｂ）に示すように、両側の第１側壁部６４の間に位置する２つの第２内面壁２６部分および中央外面壁５２は、この載置壁部２０の撓みにより、矢印Ａで示すように、それらの上端が近づく方向に引き付けられる。
一方、中央外面壁５２の下端および端部外面壁５４の下端に連なる折り返し壁５８は、箱１２の側面１２０６に接触しているので、図２０（Ｂ）に矢印Ｂで示すように、第２側壁部６６の下端に外側に作用する力は吸収されず、この力は、両側の第１側壁部６４の間に位置する２つの第２内面壁２６部分および中央外面壁５２に加わる。
このようなことから、両側の第１側壁部６４の間に位置する２つの第２内面壁２６部分および中央外面壁５２は、それらの上端が前記短辺方向の中央に近づく方向に倒れ、これにより落下の際の衝撃が吸収され、商品７０を保護する上で有利となる。
【００２２】
また、本実施の形態では、中央外面壁５２の上端寄り箇所に折れ線Ｂ２５を設けたので、衝撃力が大きい場合には、図２１に想像線で縁取りその内部にハッチングを施して示すように、中央外面壁５２の上端が折れ線Ｂ２５部分から折り曲げられ、これによっても衝撃力が吸収され、商品７０を保護する上でより一層有利となる。
この場合、中央外面壁５２を第２内面壁２６の上端から２本の折れ線Ｂ２００２を介して折り曲げ、図１４に示すように、第２内面壁２６の上端と中央外面壁５２の上端との間に隙間を確保するようにしているので、中央外面壁５２の上端は折れ線Ｂ２５部分から折り曲げられ易く、したがって、衝撃力を吸収する上でより有利となっている。
【００２３】
【発明の効果】
以上説明したように本発明によれば、底面落下に対しての衝撃吸収性に優れ、しかも１枚のダンボールから簡単に組立てることができる安価なダンボールクッションが得られる。
【図面の簡単な説明】
【図１】ダンボールの展開図である。
【図２】ダンボールクッションを組み立てる際の説明図である。
【図３】ダンボールクッションを組み立てる際の説明図である。
【図４】ダンボールクッションを組み立てる際の説明図である。
【図５】ダンボールクッションを組み立てる際の説明図である。
【図６】ダンボールクッションを組み立てる際の説明図である。
【図７】ダンボールクッションの斜視図である。
【図８】ダンボールクッションの平面図である。
【図９】ダンボールクッションの正面図である。
【図１０】一方の第１内面壁から見たダンボールクッションの側面図である。
【図１１】他方の第１内面壁から見たダンボールクッションの側面図である。
【図１２】ダンボールクッションの底面図である。
【図１３】ダンボールクッションの断面正面図である。
【図１４】ダンボールクッションの断面側面図である。
【図１５】ダンボールクッションと共に商品を箱に収容する際の説明図である。
【図１６】ダンボールクッションと共に商品を箱に収容する際の説明図である。
【図１７】ダンボールクッションと共に商品を箱に収容する際の説明図である。
【図１８】ダンボールクッションと共に商品を箱に収容する際の説明図である。
【図１９】底面落下の際の衝撃を吸収する説明図である。
【図２０】底面落下の際の衝撃を吸収する説明図である。
【図２１】底面落下の際の衝撃を吸収する説明図である。
【符号の説明】
１０……ダンボールクッション、１４……ダンボール、１２……箱、２０……載置壁部、２２、２４……第１内面壁、２６……第２内面壁、５２……中央外面壁、６４……第１側壁部、６６……第２側壁部。
【図１】
2004224366.tif 000003
【図２】
2004224366.tif 000004
【図３】
2004224366.tif 000005
【図４】
2004224366.tif 000006
【図５】
2004224366.tif 000007
【図６】
2004224366.tif 000008
【図７】
2004224366.tif 000009
【図８】
2004224366.tif 000010
【図９】
2004224366.tif 000011
【図１０】
2004224366.tif 000012
【図１１】
2004224366.tif 000013
【図１２】
2004224366.tif 000014
【図１３】
2004224366.tif 000015
【図１４】
2004224366.tif 000016
【図１５】
2004224366.tif 000017
【図１６】
2004224366.tif 000018
【図１７】
2004224366.tif 000019
【図１８】
2004224366.tif 000020
【図１９】
2004224366.tif 000021
【図２０】
2004224366.tif 000022
【図２１】
2004224366.tif 000023